(57)【要約】【課題】複数枚の団扇をできるだけコンパクトに整然と収容し、また、扇部のデザインが良く見える状態とすることができ、しかも、壁等から吊下して多くの団扇のデザインをポスター感覚で観賞することのできる団扇収納ホルダを提供する。【解決手段】可撓性を有するベースシートに、透明樹脂シートを重畳して構成し、複数の団扇収納用ポケットが多段多列に設けられたホルダ本体と、前記ホルダ本体の上部に設けられ、前記ホルダ本体を吊下するための吊下用孔と、を有する団扇収納ホルダであって、前記団扇収納用ポケットは、前記団扇の扇部を収納する扇収納部と、前記団扇の柄を収納する柄収納部とからなり、上段の団扇収納用ポケットの柄収納部の前方に下段の団扇収納用ポケットの扇収納部を配置した。【選択図】図１
0003158667.tif 000002
【実用新案登録請求の範囲】
【請求項１】
可撓性を有するベースシートに、透明樹脂シートを重畳して構成し、複数の団扇収納用ポケットが多段多列に設けられたホルダ本体と、
前記ホルダ本体の上部に設けられ、前記ホルダ本体を吊下するための吊下用孔と、を有する団扇収納ホルダであって、
前記団扇収納用ポケットは、前記団扇の扇部を収納する扇収納部と、前記団扇の柄を収納する柄収納部とからなり、上段の団扇収納用ポケットの柄収納部の前方に下段の団扇収納用ポケットの扇収納部を配置したことを特徴とする団扇収納ホルダ。
【請求項２】
最下段の団扇収納用ポケットの柄収納部の前方に、小物収納用ポケットを配置したことを特徴とする請求項１に記載の団扇収納ホルダ。
【請求項３】
前記団扇収納用ポケットの挿入用開口は、Ａ４サイズのクリアフォルダを横向きに挿入可能としたことを特徴とする請求項１又は２に記載の団扇収納ホルダ。
【考案の詳細な説明】
【技術分野】
【０００１】
本考案は、団扇を収納するためのホルダに関する。
【背景技術】
【０００２】
従来、著名人が行うコンサート等では、その著名人の関連グッズが販売されている。
【０００３】
中でも、アイドルのコンサート等では、実に様々な関連グッズが取りそろえられており、例えばその一つとして、一般にブロマイドと呼ばれるアイドルの写真が販売されている。
【０００４】
そして、コンサートに訪れた観客（ファン）は、この写真を購入し、写真収納用のクリアフォルダ等に収容して観賞用に保管している。なお、このようなクリアフォルダには、写真を収納した状態で壁等に吊り下げて掲示し、ポスター感覚で観賞できるよう構成したものが知られている（例えば、特許文献１参照。）。
【０００５】
ところで、近年、コンサート等でのアイドル関連グッズの一つとして、扇部分に写真等をプリントした団扇が販売されている。
【０００６】
一般に団扇は、手で握る柄部と、風を送る扇部とで構成されており、涼をとるために使用されることが多い。
【０００７】
しかしながら、アイドルのコンサート等におけるこの団扇は、涼をとる目的というよりは、専ら応援グッズの一つとして使用される。
【０００８】
それゆえ、この応援グッズ用の団扇の扇部分は、一般的な団扇の扇部分に比して大きめに形成されており、しかも、アイドルの写真等がプリントされて高いデザイン性を有しているという特徴がある。
【０００９】
したがって、この団扇を購入したコンサート等の観客は、前述のブロマイドと同様に、自宅等で大切に観賞用として保管することが多い。
【００１０】
また、このような団扇は、コンサート毎に違う種類が販売されることもあり、観客（ファン）によっては、複数種の団扇をコレクションしている場合もある。
【先行技術文献】
【特許文献】
【００１１】
【特許文献１】特表２００４−５３５３１２号公報
【考案の概要】
【考案が解決しようとする課題】
【００１２】
ところが、団扇の形状や大きさは、ブロマイドの形状や大きさと全く異なるため、現在既に知られている前述の写真収納用のクリアフォルダにて収容するのは到底困難であった。
【００１３】
それゆえ、団扇を複数枚収容し、壁等にポスター感覚で吊り下げて掲示できる団扇収納ホルダが望まれていた。
【００１４】
また、一般的な団扇の形状は、細長い棒状の柄部と、略円形の扇部とで構成されており、上記写真収納用クリアフォルダの矩形状のポケットを単に大きくしただけでは、団扇をポケットに収容できたとしても、柄部の下端がポケット底部の左右いずれかの隅に移動してしまう場合がある。
【００１５】
それゆえ、複数枚の団扇を各ポケットに収納した際に、団扇の向きが区々となり、コレクションとして整然と掲示することが困難であった。
【００１６】
また、団扇はブロマイド等に比して大きく、併せて、柄部は扇部に比してデザイン性に乏しい傾向があるため、壁等に吊下してポスター感覚で観賞するためには、できるだけコンパクトでありながら、デザイン性の高い扇部がよく見える団扇収納ホルダであることが望まれていた。
【００１７】
本考案は、斯かる事情に鑑みてなされたものであって、複数枚の団扇をできるだけコンパクトに整然と収容し、また、扇部のデザインが良く見える状態とすることができ、しかも、壁等から吊下して多くの団扇のデザインをポスター感覚で観賞することのできる団扇収納ホルダを提供する。
【課題を解決するための手段】
【００１８】
上記従来の課題を解決するために、請求項１に係る本考案では、可撓性を有するベースシートに、透明樹脂シートを重畳して構成し、複数の団扇収納用ポケットが多段多列に設けられたホルダ本体と、前記ホルダ本体の上部に設けられ、前記ホルダ本体を吊下するための吊下用孔と、を有する団扇収納ホルダであって、前記団扇収納用ポケットは、前記団扇の扇部を収納する扇収納部と、前記団扇の柄を収納する柄収納部とからなり、上段の団扇収納用ポケットの柄収納部の前方に下段の団扇収納用ポケットの扇収納部を配置した。
【００１９】
また、請求項２に係る本考案では、請求項１に記載の団扇収納ホルダにおいて、最下段の団扇収納用ポケットの柄収納部の前方に、小物収納用ポケットを配置したことに特徴を有する。
【００２０】
また、請求項３に係る本考案では、請求項１又は２に記載の団扇収納ホルダにおいて、前記団扇収納用ポケットの挿入用開口は、Ａ４サイズのクリアフォルダを横向きに挿入可能としたことに特徴を有する。
【考案の効果】
【００２１】
請求項１に係る本考案では、可撓性を有するベースシートに、透明樹脂シートを重畳して構成し、複数の団扇収納用ポケットが多段多列に設けられたホルダ本体と、前記ホルダ本体の上部に設けられ、前記ホルダ本体を吊下するための吊下用孔と、を有する団扇収納ホルダであって、前記団扇収納用ポケットは、前記団扇の扇部を収納する扇収納部と、前記団扇の柄を収納する柄収納部とからなり、上段の団扇収納用ポケットの柄収納部の前方に下段の団扇収納用ポケットの扇収納部を配置したため、複数枚の団扇をできるだけコンパクトに整然と収容し、また、扇部のデザインが良く見える状態とすることができ、しかも、壁等から吊下して多くの団扇のデザインをポスター感覚で観賞することのできる団扇収納ホルダを提供することができる。
【００２２】
また、請求項２に係る本考案では、最下段の団扇収納用ポケットの柄収納部の前方に、小物収納用ポケットを配置したため、例えば、ＣＤやペン、手鏡などの小物グッズをさらにコレクションとして収容することができる。
【００２３】
また、請求項３に係る本考案では、前記団扇収納用ポケットの挿入用開口は、Ａ４サイズのクリアフォルダを横向きに挿入可能としたため、近年、グッズとして販売されることの多いクリアフォルダを収納することができる。
【００２４】
また、最大横幅がＡ４サイズの用紙の長手方向の長さと略等しい団扇（所謂、ジャンボうちわ）を、整然と、且つ、余裕を持って、しかもコンパクトに収納することができる。
【図面の簡単な説明】
【００２５】
【図１】本実施形態に係る団扇収納ホルダの使用状態を示す説明図である。
【図２】正面視における団扇収納ホルダを示した説明図である。
【図３】団扇やA4サイズの用紙、クリアフォルダの形状や大きさを模式的に示した説明図である。
【図４】本実施形態に係る団扇収納ホルダの構成を示した説明図である。
【図５】団扇収納用ポケットの形成過程を示した説明図である。
【図６】団扇収納用ポケットの形成過程を示した説明図である。
【図７】本実施形態に係る団扇収納ホルダのＡ−Ａ’端面及びＢ−Ｂ’端面を示した説明図である。
【図８】本実施形態に係る団扇収納ホルダの梱包手順を示した説明図である。
【図９】変形例に係る団扇収納ホルダの小物収納用ポケット部分を示した説明図である。
【図１０】ベースシートの例を示した説明図である。
【考案を実施するための形態】
【００２６】
本考案は、可撓性を有するベースシートに、透明樹脂シートを重畳して構成し、複数の団扇収納用ポケットが多段多列に設けられたホルダ本体と、前記ホルダ本体の上部に設けられ、前記ホルダ本体を吊下するための吊下用孔と、を有する団扇収納ホルダであって、前記団扇収納用ポケットは、前記団扇の扇部を収納する扇収納部と、前記団扇の柄を収納する柄収納部とからなり、上段の団扇収納用ポケットの柄収納部の前方に下段の団扇収納用ポケットの柄収納部を配置したことを特徴とする団扇収納ホルダを提供するものである。
【００２７】
ここで、ベースシートは、可撓性を有するシート体であれば特に限定されるものではなく、例えば、樹脂シート、布生地、フェルト生地を挙げることができる。
【００２８】
また、これらのベースシートの形状は、代表的には矩形状を挙げることができるが、仕様等に応じて適宜変更することができ、例えば、台形状やハート形のように形成しても良い。
【００２９】
また、ベースシートは、適宜絵柄や写真等をプリントしたものであっても良い。併せて、ベースシートの素材を樹脂シートとした場合、同樹脂シートの一部又は全部が透明、半透明、不透明のいずれであっても良い。
【００３０】
ベースシートに重畳する透明樹脂シートは、可撓性を有し、可視光線を透光させることができる樹脂であれば特に限定されるものではないが、無色透明の樹脂であった方が、扇部表面のデザインの色合いの変化が少ないため好ましい。このような樹脂素材としては、例えば、ポリ塩化ビニール樹脂（PVC)を挙げることができる。
【００３１】
また、可視光線に透光性を示し、紫外線に対して遮光性を示すような樹脂をとすることにより、扇部表面のデザインの退色を防ぐことができるため、なお好ましい。具体的には、可視光線及び紫外線を透過する透明樹脂シートに、紫外線の透過を阻害する加工（いわゆる、「ＵＶカット加工」）を施すことで実現することができる。
【００３２】
また、透明樹脂シートは、上述の樹脂で所定の厚みに形成されるシートであり、可撓性を有するものである。この透明樹脂シートの厚みは、例えば、透明樹脂をポリ塩化ビニール樹脂（PVC)をとした場合には、１mm〜３mmとするのが良い。１mmを下回ると、シートにコシがなくなり、取扱いが悪くなるばかりでなく、団扇を収納した際に、団扇の重みで団扇収納ホルダ全体が撓んでしまう場合があり、見た目の上で好ましくない。
【００３３】
一方、３mmを上回ると、団扇収納ホルダ全体の柔軟性が乏しくなり好ましくない。また、団扇収納ホルダ全体の重量が増加し、後述する吊下部１０への負荷が大きくなるため好ましくない。併せて、後に説明するが、団扇収納ホルダを配送する場合においても、梱包状態での大きさが大きくなってしまい好ましくない。
【００３４】
透明樹脂シートの厚みは、透明樹脂をポリ塩化ビニール樹脂（PVC)とした場合において、その厚みを１mm〜３mmとすることにより、団扇の重みで不必要に撓むことなく、しかも、適当な柔軟性を有した状態に団扇収納ホルダを形成することができる。
【００３５】
また、柄収納部は、団扇収納用ポケットに団扇の柄を垂直に挿入して収納した際に柄が到達する部位に形成しても良く、また、団扇の柄を斜めにして挿入した際に柄が到達する部位に形成しても良い。なお、ここで垂直に挿入とは、団扇の柄の長手方向に向かう軸線と、扇収納部の底辺部とが略直交するような状態で挿入することであり、また、斜めに挿入とは、前記略直交の状態よりも左右いずれかにやや傾きをもって挿入することである。なお、垂直に挿入する場合でも、斜めに挿入する場合でも、団扇の扇部の面と、団扇収納ホルダの表面とは、略対向させた状態である。
【００３６】
団扇の柄を垂直に挿入して収納した際に柄が到達する部位に柄収納部を形成することにより、団扇が団扇収納用ポケット内で動いて斜めの状態となるのを防ぎながら、団扇を垂直に保った状態で掲示することができる。
【００３７】
また付言すれば、一般に扇部の写真や図柄は、柄部の伸延方向を垂直として印刷されている場合が多い。このような団扇の場合、柄収納部がない場合には、写真や図柄の垂直が保たれず、整然と収納できないおそれがあるが、団扇の柄を垂直に挿入して収納した際に柄が到達する部位に柄収納部を形成すれば、写真や図柄の垂直を保った状態で掲示することができる。
【００３８】
また、団扇の柄を斜めにして挿入した際に柄が到達する部位に柄収納部を形成した場合には、団扇を斜めの状態に維持固定すること可能となる。この際柄収納部は、必ずしも同列下段の扇収納部の後方に設ける必要はなく、他列下段の扇収納部の後方に設けるようにしても良い。
【００３９】
また、本考案に係る団扇収納ホルダの最下段の団扇収納用ポケットの柄収納部の前方には、小物収納用ポケットを配置しても良い。
【００４０】
この小物収納用ポケットもまた、上述の透明樹脂シートにて形成することにより、所望の小物をポケットの外部から透視可能に収容して掲示することができる。なお、小物収納用ポケットに収納する小物としては、例えば、ＣＤ、ＤＶＤ、ペン、手鏡、スケジュール帳、ブロマイド等を挙げることができるが、これらに限定されるものではない。
【００４１】
また、この小物収納用ポケットは、収納する小物の形状に合わせて形成しても良い。例えば、ＣＤやＤＶＤのケースが出し入れ可能な程度に余裕を持って仕切を形成したり、ペン差しを形成することにより、これらの小物を整然とコレクションの一部として並べることができる。
【００４２】
また、団扇収納用ポケットの挿入用開口は、Ａ４サイズのクリアフォルダを横向きに挿入可能とするのが好ましい。
【００４３】
このような構成とすることにより、例えばアイドルの写真やデザインが施されたクリアフォルダを掲示できるのは勿論のこと、最大横幅が24cm程度の通常サイズの団扇ばかりでなく、コンサート等での応援グッズとして多く市販される最大横幅がＡ４サイズの用紙の長手方向の長さと略等しいジャンボ団扇をも収納することができる。
【００４４】
以下、本考案の実施形態について、図面を参照しながら更に詳説する。
【００４５】
図１は、本実施形態に係る団扇収納ホルダ１の使用状態を示す説明図である。図１にも示すように、居室２の壁３には側面視Ｌ字型のフック４が所定間隔を空けて配設されており、このフックに団扇収納ホルダ１が吊下されている。
【００４６】
また後に詳述するが、団扇収納ホルダ１には、複数の団扇収納用ポケット５が多段他列に設けられている。図１中において３つの団扇収納用ポケット５には、団扇６がそれぞれ収納されており、また、別の団扇収納用ポケット５には、クリアフォルダ７が収納されている。
【００４７】
このように、本実施形態に係る団扇収納ホルダ１によれば、団扇収納用ポケット５に団扇６やクリアフォルダ７をそれぞれ収納して、複数の団扇６やクリアフォルダ７を壁３に掲示することができる。
【００４８】
次に、団扇収納ホルダ１の具体的な構成について説明する。図２は、正面視における団扇収納ホルダ１を示した説明図である。
【００４９】
図２にも示すように、団扇収納ホルダ１は、樹脂シートにて縦117cm、横66cmに形成した矩形縦長状の外観を有しており、壁３等に設けたフック４に係止して吊下するための吊下用孔９を備えた吊下部１０と、複数の団扇収納用ポケット５が多段多列に設けられるとともに、その最下段に小物収納用ポケット８が設けられたホルダ本体１１とで構成している。
【００５０】
吊下部１０の吊下用孔９は、団扇収納ホルダ１の幅方向に略等間隔でハトメ部材１２を打つことにより形成しており、本実施形態では、５つのハトメ部材１２を打って５つの吊下用孔９を形成している。
【００５１】
ホルダ本体１１は、水平方向へ２列、垂直方向へ３段の計６つの団扇収納用ポケット５と、最下段（３段目）の団扇収納用ポケット５に重複して形成された２つの小物収納用ポケット８とを備えている。
【００５２】
それぞれの団扇収納用ポケット５は、一辺が32cmの正方形袋状に形成した扇収納部１３と、同扇収納部１３の底部略中央より垂直方向へ略14cmの深さでＵ字型袋状に形成した柄収納部１４とを備えている。扇収納部１３の底部と柄収納部１４の上部とを連通させて１つの袋状空間を形成している。また、各扇収納部１３の上辺部には団扇６等を挿入するための挿入用開口５３が形成されている。
【００５３】
この団扇収納用ポケット５は、図３（ａ）に示すように、最大横幅が24cm程度の通常の団扇６は勿論のこと、コンサート等で応援グッズとして販売される最大横幅が29.5cm程度、すなわち、図３（ｃ）に示す最大横幅がＡ４サイズの用紙52の長手方向の長さL2と略同じ長さのジャンボ団扇６（図３（ｂ）参照）も収容可能である。
【００５４】
ところで、このジャンボ団扇６は、販売される際に、同ジャンボ団扇６の扇部よりも若干大きい最大横幅L1を有するフィルム状の透明保護袋５０に納められているが、この透明保護袋５０は、応援時は勿論のこと、自宅での保管時においても装着したままであることの方が多い。
【００５５】
そこで、本実施形態に係る団扇収納ホルダ１の団扇収納用ポケット５は、挿入用開口５１の幅を32cmとして、透明保護袋５０を装着しているジャンボ団扇６であっても、団扇収納用ポケット５に円滑に収納できるようにしている。
【００５６】
また、この団扇収納用ポケット５は、団扇６の扇部が収納される部位であると共に、Ａ４サイズのクリアフォルダ７を収納するための部位としても機能する。
【００５７】
すなわち、横幅32cmという長さは、図３（ｄ）にも示すＡ４サイズのクリアフォルダ７（長手方向の長さL3)を若干の余裕を持って挿入可能とするために最適化された長さであるとも言える。なお、この場合、団扇収納用ポケット５の挿入用開口５ａもまた、Ａ４サイズのクリアフォルダ７を横向きで挿入可能な32cmとしているのは勿論である。
【００５８】
図２の説明に戻ると、小物収納用ポケット８は、最下段（３段目）の団扇収納用ポケット５の柄収納部１４の前方（図２において、奥行き方向手前側）に、高さ15cm、横幅32cmの袋状空間を形成することで、ＣＤや手鏡等の小物を収納可能としている。
【００５９】
これら団扇収納用ポケット５や小物収納用ポケット８は、具体的には、次のようにして形成する。
【００６０】
図４に示すように、団扇収納ホルダ１は、上端部を折り曲げて二重となし、ハトメ部材１２を打って吊下部１０を形成したベースシート２０と、同ベースシート２０に団扇収納用ポケット５を形成するためのポケット形成シート２１ａ〜２１ｃと、小物収納用ポケット８を形成するための小物ポケット形成シート２２よりなり、それぞれを重複させながら形成している。
【００６１】
また、団扇収納用ポケット５の形成手順について、図５に示す。団扇収納用ポケット５の形成は、まず、ベースシート２０上に、これと同幅のポケット形成シート２１ａを載置する（図５（ａ）参照。）。この際、ポケット形成シート２１ａの上辺部分は、吊下部１０の下辺部分に合わせている。
【００６２】
次に、図５（ｂ）に示すように、ベースシート２０とポケット形成シート２１ａとの左右側辺部分を熱圧着しながら側辺圧着部２５を形成し、続いて、ベースシート２０とポケット形成シート２１ａの底辺部を熱圧着しながら底辺圧着部２６を形成する。
【００６３】
次に、ベースシート２０とポケット形成シート２１ａとを左右方向略中央部にて上下方向へ熱圧着して、中仕切圧着部２８を形成する。なお、本実施形態では、中仕切りの強度を持たせて左右の団扇収納用ポケット５が連通するのを防ぐため、中仕切圧着部２８を左右方向に２本形成している。
【００６４】
次に、ポケット形成シート２１ａの上端から下方へ32cmの位置より左右方向へ、側辺圧着部２５と中仕切圧着部２８との間に水平圧着部２７を形成する。この際、側辺圧着部２５と中仕切圧着部２８との間の中央部は、柄収納部１４を形成するための非圧着部２９を形成しておく。
【００６５】
次に、非圧着部２９から下方へ向けてＵ字状圧着部３０を形成する。このようにして、一段の団扇収納用ポケット５が形成される。
【００６６】
そして、次段の団扇収納用ポケット５を形成するためには、図６に示すように、団扇収納用ポケット５を形成したベースシート２０上に、ポケット形成シート２１ｂを重ねて、前述の手順により同様に熱圧着を行う。
【００６７】
なお、この際、ポケット形成シート２１ｂを重ねる上下位置は、ポケット形成シート２１ｂの上辺が、ポケット形成シート２１ａの水平圧着部２７の位置となるようにする。このように配置することで、下段の扇収納部１３が、上段の柄収納部１４の前面となるように形成することができる。すなわち、上下２段の団扇収納用ポケット５にそれぞれ団扇６を収納した際に、上段に収納した団扇６の柄部が、下段に収納した団扇６の扇部に覆われることとなり、団扇をできるだけコンパクトに収容しつつ、扇部のデザインが良く見える状態とすることができる。
【００６８】
本実施形態に係る団扇収納ホルダ１は、３枚のポケット形成シート２１ａ〜２１ｃを用いて形成しているため、上述の作業を三段分繰り返すこととなる。
【００６９】
また、最下段（本実施形態では３段目）の団扇収納用ポケット５の柄収納部１４の前方には、小物収納用ポケット８を備えているが、これもまた同様に前述の小物ポケット形成シート２２を熱圧着することで形成している。
【００７０】
具体的には、まず、最下段の団扇収納用ポケット５を形成したベースシート２０上に、小物ポケット形成シート２２を載置する。この際、小物ポケット形成シート２２の載置位置は、小物ポケット形成シート２２の上辺が、団扇収納用ポケット５の水平圧着部２７の位置となるようにする。
【００７１】
次いで、左右側辺部、中仕切部、底辺部を圧着することで、小物収納用ポケット８を形成することができる。
【００７２】
このようにして形成した団扇収納ホルダ１は、図７に示すような端面構造となる。なお、図７（ａ）は図２のＡ−Ａ’で切断した端面の説明図であり、図７（ｂ）は図２のＢ−Ｂ’で切断した端面の説明図である。また、図７に示すこれらの説明図は、構造の理解を容易とするために、団扇収納ホルダ１の厚み方向（図７上での左右方向）の長さを誇張して示している。また、圧着部分は破線矢印にて示している。
【００７３】
このように、本実施形態に係る団扇収納ホルダ１では、団扇収納用ポケット５は、団扇６の扇部を収納する扇収納部１３と、団扇６の柄を収納する柄収納部１４とからなり、上段の団扇収納用ポケット５の柄収納部１４の前方に、下段の団扇収納用ポケット５の扇収納部１３を配置することができ、複数枚の団扇６をできるだけコンパクトに整然と収容し、また、扇部のデザインが良く見える状態とすることができ、しかも、壁３等から吊下して多くの団扇６のデザインをポスター感覚で観賞することができる。
【００７４】
次に、本実施形態に係る団扇収納ホルダ１の梱包方法について説明する。図８は、団扇収納ホルダ１の梱包手順を示した説明図である。
【００７５】
まず、図８（ａ）に示すように、団扇収納ホルダ１の長手方向へ向けて巻き取る。
【００７６】
次いで、図８（ｂ）に示すように、巻き取った団扇収納ホルダ１を有底の紙管３１に挿入し、蓋体３２を装着して配送する。
【００７７】
このような梱包を行うことにより、汚れ等が付着するのを防ぎながらも、コンパクトな状態で配送することができる。
【００７８】
しかも、このような梱包方法によれば、荷受け後は、梱包に用いた紙管３１をポスター入れ等として利用することもでき、グッズ等の整理にさらに役立てることができる。
【００７９】
次に、本実施形態に係る団扇収納ホルダの変形例について図９を参照しながら説明する。なお、前述の実施形態と同様の構成については、同じ符号を付して説明を省略する。
【００８０】
図９は、変形例に係る団扇収納ホルダ４０の小物収納用ポケット８部分を示した説明図である。この団扇収納ホルダ４０は、前述の団扇収納ホルダ１と略同様の構成を有しているが、小物収納用ポケット８に更なる小分けポケット４２を形成している点で構造が異なっている。
【００８１】
すなわち、最下段の団扇収納用ポケット５の前方に設けた小物収納用ポケット８に中仕切りを形成せず、右半部に筆記具４１等の形状に合わせた小分けポケット４２を形成している。
【００８２】
この小分けポケット４２は、ポケット形成シート２１ｃと小物ポケット形成シート２２とを熱圧着して形成したＵ字状の区画圧着部により構成している。
【００８３】
これにより、団扇６以外のアイドル関連グッズ等についても、整然と収納することができることとなる。
【００８４】
上述してきたように、本実施形態に係る団扇収納ホルダ１,４０によれば、透明樹脂シートから構成され、複数の団扇収納用ポケット５が多段多列に設けられたホルダ本体１１と、前記ホルダ本体１１の上部に設けられ、前記ホルダ本体１１を吊下するための吊下用孔９と、を有する団扇収納ホルダ１,４０であって、前記団扇収納用ポケット５は、前記団扇６の扇部を収納する扇収納部１３と、前記団扇６の柄を収納する柄収納部１４とからなり、上段の団扇収納用ポケット５の柄収納部１４の前方に下段の団扇収納用ポケット５の扇収納部１３を配置したため、複数枚の団扇６をできるだけコンパクトに整然と収容し、また、扇部のデザインが良く見える状態とすることができ、しかも、壁３等から吊下して多くの団扇６のデザインをポスター感覚で観賞することができる。
【００８５】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【００８６】
例えば、前述の団扇収納ホルダ１では、ベースシート２０として無色透明の樹脂シートを採用したが、これに限定されるものではない。すなわち、図１０（ａ）に示すように、所定の図柄がプリントされたものを採用したり、また、図１０（ｂ）に示すように、不透明部分と透明部分とを有するような樹脂シートを採用するようにしても良い。
【００８７】
また、前述の団扇収納ホルダ１は、図２に示した寸法で形成したが、これらの寸法は一例であり、適宜調整を加えることができる。また、熱圧着の順序についても同様であり、仕様等に応じて適宜変更することができる。
【００８８】
また、本実施形態に係る団扇収納ホルダ１や団扇収納ホルダ４０を紙管３１に挿入して販売したり配送する旨説明したが、これに限定されるものではなく、単に折り畳んだ状態で販売したり配送しても良いのは言うまでもない。
【００８９】
また、本実施形態に係る団扇収納ホルダ１では、５つのハトメ部材１２を打って５つの吊下用孔９を形成したが、吊下用孔９の数は、これに限定されるものではない。例えば、吊下部１０の左右方向へ等間隔に偶数個（例えば、４、６、８個等）の吊下用孔９を形成することにより、団扇収納ホルダ１を左右対称に折りたたんだときに、折りたたみ線上にハトメ部材１２が位置するのを防ぐことができ、団扇収納ホルダ１をコンパクトに折りたたむことができる。また、吊下部１０の左右方向へ等間隔に奇数個（例えば、３、５、７個等）の吊下用孔９を形成した場合には、団扇収納ホルダ１を吊下した際に、左右略中央部がシートの自重で垂れてしまうのを防止することができる。
【符号の説明】
【００９０】
１  団扇収納ホルダ
５  団扇収納用ポケット
６  団扇
７  クリアフォルダ
８  小物収納用ポケット
９  吊下用孔
１０  吊下部
１１  ホルダ本体
１３  扇収納部
１４  柄収納部
４０  団扇収納ホルダ
【図１】
0003158667.tif 000003
【図２】
0003158667.tif 000004
【図３】
0003158667.tif 000005
【図４】
0003158667.tif 000006
【図５】
0003158667.tif 000007
【図６】
0003158667.tif 000008
【図７】
0003158667.tif 000009
【図８】
0003158667.tif 000010
【図９】
0003158667.tif 000011
【図１０】
0003158667.tif 000012
【手続補正書】
【提出日】平成22年2月8日(2010.2.8)
【手続補正１】
【補正対象書類名】実用新案登録請求の範囲
【補正対象項目名】全文
【補正方法】変更
【補正の内容】
【実用新案登録請求の範囲】
【請求項１】
可撓性を有するベースシートに、透明樹脂シートを重畳して構成し、複数の団扇収納用ポケットが多段多列に設けられたホルダ本体と、
前記ホルダ本体の上部に設けられ、前記ホルダ本体を吊下するための吊下用孔と、を有する団扇収納ホルダであって、
前記団扇収納用ポケットは、団扇の扇部を収納する扇収納部と、団扇の柄を収納する柄収納部とからなり、上段の団扇収納用ポケットの柄収納部の前方に下段の団扇収納用ポケットの扇収納部を配置したことを特徴とする団扇収納ホルダ。
【請求項２】
最下段の団扇収納用ポケットの柄収納部の前方に、小物収納用ポケットを配置したことを特徴とする請求項１に記載の団扇収納ホルダ。
【請求項３】
前記団扇収納用ポケットの挿入用開口は、Ａ４サイズのクリアフォルダを横向きに挿入可能としたことを特徴とする請求項１又は２に記載の団扇収納ホルダ。